(57)【要約】【課題】スライドレール構成の他の軌道部材に対するガイド体の位置を微調整することができるスライドレール構成に用いる調整装置を提供する。【解決手段】スライドレール構成に用いる調整装置は、ガイド体１４、調整ベース４２及び枢着部材４４を備える。ガイド体１４は、一方の端部に設けられた第１の端部２４と、他方の端部に設けられた第２の端部２６とを有する。第１の端部２４は、第１の軌道部材１０の第１のパネル１８に接続され、第２の端部２６は、第１の壁部と、第２の壁部と、第１の壁部と第２の壁部との間に設けられた底壁とを有する。調整ベース４２は、板体４６と、板体４６の底面から延伸したカム５０と、板体４６及びカム５０に偏心するように穿設した軸孔５２とを有する。調整ベース４２の板体４６の一部は、第１の軌道部材１０の第２のパネル２０に当接し、ガイド体１４の収納室３６の中にカム５０を挿設する。【選択図】図１
0003157410.tif 000002
【実用新案登録請求の範囲】
【請求項１】
第１のパネル及び第２のパネルを有する第１の軌道部材と、前記第１の軌道部材に対して長手方向で摺動する第２の軌道部材と、を備えるスライドレール構成に用いる調整装置であって、
ガイド体、調整ベース及び枢着部材を備え、
前記ガイド体は、一方の端部に設けられた第１の端部と、他方の端部に設けられた第２の端部とを有し、
前記第１の端部は、前記第１の軌道部材の前記第１のパネルに接続され、
前記第２の端部は、第１の壁部と、第２の壁部と、前記第１の壁部と前記第２の壁部との間に設けられた底壁とを有し、前記第１の壁部、前記第２の壁部及び前記底壁により協働で収納室を画定し、前記底壁に横向き孔が設けられ、
前記調整ベースは、板体と、前記板体の底面から延伸したカムと、前記板体及び前記カムに偏心するように穿設した軸孔と、を有し、前記板体の一部は、前記第１の軌道部材の前記第２のパネルに当接し、前記カムは前記ガイド体の前記収納室の中に挿設され、
前記枢着部材は、前記調整ベースの前記軸孔と、前記ガイド体の前記横向き孔とに貫設され、前記第１の軌道部材の前記第１のパネルに接続されていることを特徴とする、スライドレール構成に用いる調整装置。
【請求項２】
前記調整ベースは、前記軸孔に隣接した箇所において、前記板体の頂面に設けた調整部を有することを特徴とする、請求項１に記載のスライドレール構成に用いる調整装置。
【請求項３】
前記調整ベースの前記板体は、前記第２のパネルに対向した弧形状の側壁を有することを特徴とする、請求項１に記載のスライドレール構成に用いる調整装置。
【請求項４】
前記側壁は、複数の位置決め凸部を有することを特徴とする、請求項３に記載のスライドレール構成に用いる調整装置。
【請求項５】
前記ガイド体の前記第１の端部は、前記第１の軌道部材の前記第１のパネルに設けられた固定体に接続した固定部を有することを特徴とする、請求項１に記載のスライドレール構成に用いる調整装置。
【請求項６】
前記ガイド体の前記第１の端部は、軸ピンにより前記第１の軌道部材の前記第１のパネルに枢着された固定部を有することを特徴とする、請求項１に記載のスライドレール構成に用いる調整装置。
【請求項７】
前記ガイド体は、前記第１の端部と前記第２の端部との間に設けられたガイドチャネルを有することを特徴とする、請求項１に記載のスライドレール構成に用いる調整装置。
【考案の詳細な説明】
【技術分野】
【０００１】
本考案は、スライドレール構成に用いる調整装置に係り、特に、スライドレール構造の第１の軌道部材にガイド体を取り付ける際、スライドレール構成の他の軌道部材に対するガイド体の位置を微調整することができるスライドレール構成に用いる調整装置に関する。
【背景技術】
【０００２】
スライドレール構成は、一般に第１の軌道部材と、第１の軌道部材に対して長手方向で摺動する第２の軌道部材と、を含む。補助移動装置は、例えば、スライドレール構成に応用する閉装置である。例えば、特許文献１は、支持レール（ｓｕｐｐｏｒｔ  ｒａｉｌ）１１を含む。支持レール１１は、水平ウエブ（ｈｏｒｉｚｏｎｔａｌ  ｗｅｂ）１１’と、支持レールに対して長手方向で摺動し、ピン部材（ｐｉｎ  ｍｅｍｂｅｒ）を有する引抜きレール（ｐｕｌｌ−ｏｕｔ  ｒａｉｌ）と、支持レールの水平ウエブに取り付け、ガイド溝（ｇｕｉｄｅ  ｇｒｏｏｖｅ）４を有するガイド収納空間（ｇｕｉｄｅ  ｈｏｕｓｉｎｇ）２と、ガイド収納空間のガイド溝に取り付け、上方に開口した溝（ｕｐｗａｒｄｌｙ  ｏｐｅｎ  ｓｌｏｔ）９を有する可傾倒部材（ｔｉｌｔａｂｌｅ  ｍｅｍｂｅｒ）３と、可傾倒部材に接続したスプリング（ｓｐｒｉｎｇ）６と、を有する。引抜きレールは、支持レールに収納して変位させると、引抜きレールのピン部材が、可傾倒部材の上方に開口した溝内に当接される。可傾倒部材は、まず、引抜きレールにより駆動してガイド収納空間のガイド溝内で変位し、スプリングの弾力作用を受けると、引抜きレールは、スプリングの弾力と、可傾倒部材の牽引とにより、支持レールへ自動的に収納することができる。
【０００３】
このスライドレール構成を引き出しに応用する際は、引き出しの両側に引抜きレールをそれぞれ取り付け、キャビネットの両側に、引抜きレールを接続するために用いる支持レールをそれぞれ固着する。このスライドレール構成により、引き出しをキャビネットから引き出したり押し入れたりすることができるとともに、キャビネットの中に引き出しを所定距離で押し入れて収納すると、閉装置により引抜きレールのピン部材と、可傾倒部材の上方に開口した溝とが係合され、スプリングの弾力によりキャビネット内に自動的に収納することができる。
【０００４】
引抜きレールは、支持レール上で長手方向で変位し、許容誤差である短手方向の隙間余裕を有する。しかし、スライドレール構成を家具（例えば、引き出し、キャビネットなど）へ実際に取り付けるとき、施工品質及び家具の規格誤差の影響により、支持レールに対する引抜きレールの短手方向の距離が僅かに変化し、引抜きレールのピン部材と、可傾倒部材の上方に開口した溝との係合の安定性が低下し、キャビネットに引き出しを自動的に収納する機能が失われる虞があった。
【０００５】
そのため、補助移動装置を短手方向で調整し、従来の問題点を解決することができる調整装置が求められていた。
【先行技術文献】
【特許文献】
【０００６】
【特許文献１】アメリカ合衆国特許第５３６４１７９号明細書
【考案の概要】
【考案が解決しようとする課題】
【０００７】
本考案の目的は、スライドレール構成の他の軌道部材に対するガイド体の位置を微調整することができるスライドレール構成に用いる調整装置を提供することにある。
【課題を解決するための手段】
【０００８】
上記課題を解決するために、本考案の第１の形態によれば、第１のパネル及び第２のパネルを有する第１の軌道部材と、前記第１の軌道部材に対して長手方向で摺動する第２の軌道部材１２と、を備えるスライドレール構成に用いる調整装置であって、ガイド体、調整ベース及び枢着部材を備え、前記ガイド体は、一方の端部に設けられた第１の端部と、他方の端部に設けられた第２の端部とを有し、前記第１の端部は、前記第１の軌道部材の前記第１のパネルに接続され、前記第２の端部は、第１の壁部と、第２の壁部と、前記第１の壁部と前記第２の壁部との間に設けられた底壁とを有し、前記第１の壁部、前記第２の壁部及び前記底壁により協働で収納室を画定し、前記底壁に横向き孔が設けられ、前記調整ベースは、板体と、前記板体の底面から延伸したカムと、前記板体及び前記カムに偏心するように穿設した軸孔と、を有し、前記調整ベースの前記板体の一部は、前記第１の軌道部材の前記第２のパネルに当接し、前記ガイド体の前記収納室の中に前記カムを挿設し、前記枢着部材は、前記調整ベースの前記軸孔と、前記ガイド体の前記横向き孔とに貫設され、前記第１の軌道部材の前記第１のパネルに接続されていることを特徴とするスライドレール構成に用いる調整装置が提供される。
【０００９】
前記調整ベースは、前記軸孔に隣接した箇所に、前記板体の頂面に設けた調整部を有することが好ましい。
【００１０】
前記調整ベースの前記板体は、前記第２のパネルに対向した弧形状の側壁を有することが好ましい。
【００１１】
前記側壁は、複数の位置決め凸部を有することが好ましい。
【００１２】
前記ガイド体の前記第１の端部は、前記第１の軌道部材の前記第１のパネルに設けられた固定体に接続した固定部を有することが好ましい。
【００１３】
前記ガイド体の前記第１の端部は、軸ピンにより前記第１の軌道部材の前記第１のパネルに枢着された固定部を有することが好ましい。
【００１４】
前記ガイド体は、前記第１の端部と前記第２の端部との間に設けられたガイドチャネルを有することが好ましい。
【考案の効果】
【００１５】
本考案のスライドレール構成に用いる調整装置は、スライドレール構成の他の軌道部材に対するガイド体の位置を微調整することができる。
【図面の簡単な説明】
【００１６】
【図１】本考案の第１実施形態によるスライドレール構成を示す分解斜視図である。
【図２】本考案の第１実施形態による第１の軌道部材にガイド体の端部を取り付けたときの状態を示すスライドレール構成を示す斜視図である。
【図３】本考案の第１実施形態による調整装置及びガイド体を示す分解斜視図である。
【図４】本考案の第１実施形態による第１の軌道部材に調整装置を取り付けたときの断面を示す斜視図である。
【図５】本考案の第１実施形態によるスライドレール構成に補助移動装置を配置したときの状態を示す斜視図である。
【図６】本考案の第１実施形態による調整ベースの位置が調整されるときの状態を示す平面図である。
【図７】本考案の第２実施形態によるガイド体と第１の軌道部材とを接続するときの状態を示す斜視図である。
【考案を実施するための形態】
【００１７】
以下、本考案の実施形態について図に基づいて説明する。なお、これによって本考案が限定されるものではない。
【００１８】
図１を参照する。図１に示すように、本考案の第１実施形態によるスライドレール構成は、第１の軌道部材１０と、第１の軌道部材１０に対して長手方向で摺動する第２の軌道部材１２と、第１の軌道部材１０に取り付けたガイド体１４と、第１の軌道部材１０に対するガイド体１４の位置を短手方向で調整する調整装置１６と、を含む。
【００１９】
第１の軌道部材１０は、第１のパネル１８と、第１のパネル１８に対して垂直に接続された第２のパネル２０と、を含む。図２に示すように、第１のパネル１８上には固定体２２が設けられている。
【００２０】
ガイド体１４は、第２の軌道部材１２をガイドして第１の軌道部材１０に対して変位させ、一方の端部に設けられた第１の端部２４と、他方の端部に設けられた第２の端部２６と、を含む。図２に示すように、ガイド体１４の第１の端部２４は、第１のパネル１８の固定体２２に接続する固定部２８を有する。図３を参照する。図３に示すように、ガイド体１４の第２の端部２６は、第１の壁部３０と、第２の壁部３２と、第１の壁部３０と第２の壁部３２との間に設けられた底壁３４と、を含む。第１の壁部３０、第２の壁部３２及び底壁３４は、協働で収納室３６を画定する。即ち、収納室３６の内壁は、第１の壁部３０又は第２の壁部３２を含む。底壁３４には、横向き孔３８が設けられ、ガイドチャネル４０は、ガイド体１４の第１の端部２４と、第２の端部２６との間に設けられている。
【００２１】
調整装置１６は、調整ベース４２及び枢着部材４４を含む。図３に示すように、調整ベース４２は、第１の軌道部材１０の第２のパネル２０に対向した側壁４８を有する板体４６と、板体４６の底面から延伸したカム５０と、板体４６及びカム５０に偏心するように穿設した軸孔５２と、軸孔５２に隣接した箇所に、板体４６の頂面に設けた調整部５４と、を有する。側壁４８は、弧形状であり、複数の位置決め凸部５６を有することが好ましい。図４に示すように、枢着部材４４は、調整ベース４２の軸孔５２と、ガイド体１４の横向き孔３８とに貫設され、第１の軌道部材１０の第１のパネル１８に接続されている。側壁４８の位置決め凸部５６の一部は、第１の軌道部材１０の第２のパネル２０に当接し、ガイド体１４の収納室３６の中にカム５０を挿設する。
【００２２】
図１及び図５に示すように、補助移動装置５８は、ガイド体１４のガイドチャネル４０に取り付けられている。補助移動装置５８は、自動閉鎖装置（ｓｅｌｆ−ｃｌｏｓｉｎｇ  ｄｅｖｉｃｅ）、自動開放装置（ｓｅｌｆ−ｏｐｅｎｉｎｇ  ｄｅｖｉｃｅ）又は自動開閉装置（ｓｅｌｆ−Ｃｃｌｏｓｉｎｇ  ａｎｄ  ｓｅｌｆ−ｏｐｅｎｉｎｇ  ｄｅｖｉｃｅ）でもよい。この補助移動装置５８は、本考案の主な特徴ではないため、ここでは詳しく述べない。第２の軌道部材１２は、補助移動装置５８と着脱可能な接続部材６０を含み、第２の軌道部材１２が第１の軌道部材１０に対して長手方向で変位する際、接続部材６０と補助移動装置５８とは長手方向で互いに対応した軌跡関係にある。
【００２３】
第２の軌道部材１２の接続部材６０が、ガイド体１４のガイドチャネル４０の位置からずれたときに、第２の軌道部材１２に対してガイド体１４を調整すると、補助移動装置５８と長手方向の軌跡上で対応した着脱が可能となる。
【００２４】
図６に示すように、調整する際は、調整ベース４２の調整部５４（即ち、十文字状挿通孔）に、プラスドライバーを挿入する。このドライバーは、枢着部材４４を軸として調整ベース４２を楽に回転させることができる。調整ベース４２のカム５０が矢印Ｆ１の方向で、ガイド体１４の収納室３６内で偏心するように変位すると、調整ベース４２のカム５０により収納室３６の第１の壁部３０を押圧したり、調整ベース４２のカム５０により収納室３６の第２の壁部３２を押圧したりすることができる。これにより、第２の軌道部材１２に対してガイド体１４を短手方向で調整することができる。矢印Ｆ２の方向で、ガイド体１４が調整ベース４２により押圧され、第２の軌道部材１２に対して変位すると、位置決め凸部５６が第１の軌道部材１０の第２のパネル２０に当接され、調整ベース４２が位置決めされる。
【００２５】
ここで、調整ベース４２の調整部５４は、対応した工具を挿入して回転させることができる限り、一文字状挿通孔又はその他の態様に形成してもよい。
【００２６】
また、図１及び図２に示すように、ガイド体１４自体が可撓性材料からなる場合、第１の軌道部材１０の第１のパネル１８に、ガイド体１４の第１の端部２４を接続し、ガイド体１４の第２の端部２６は、調整装置１６により位置を微調整し、図７に示すように、ガイド体２００自体が可撓性材料からなるか否かにかかわらず、ガイド体２００の第１の端部２０２に設けられた固定部２０４を、軸ピン２０６により第１の軌道部材１０の第１のパネル１８に枢着することにより、調整装置１６によりガイド体２００の位置を調整することができる。
【００２７】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２８】
１０      第１の軌道部材
１２      第２の軌道部材
１４      ガイド体
１６      調整装置
１８      第１のパネル
２０      第２のパネル
２２      固定体
２４      第１の端部
２６      第２の端部
２８      固定部
３０      第１の壁部
３２      第２の壁部
３４      底壁
３６      収納室
３８      横向き孔
４０      ガイドチャネル
４２      調整ベース
４４      枢着部材
４６      板体
４８      側壁
５０      カム
５２      軸孔
５４      調整部
５６      位置決め凸部
５８      補助移動装置
６０      接続部材
２００    ガイド体
２０２    第１の端部
２０４    固定部
２０６    軸ピン
【図１】
0003157410.tif 000003
【図２】
0003157410.tif 000004
【図３】
0003157410.tif 000005
【図４】
0003157410.tif 000006
【図５】
0003157410.tif 000007
【図６】
0003157410.tif 000008
【図７】
0003157410.tif 000009